(57)【要約】【課題】圧縮機を冷蔵庫等に取り付ける際の作業性の悪化を抑制しつつ、安全性を高めた圧縮機を提供する。【解決手段】シリンダ内でピストンを往復動させることで冷媒を圧縮する圧縮機本体５０と、前記圧縮機本体５０と電気的に接続するターミナル２８と、前記ターミナル２８を覆うターミナルカバー６０と、前記ターミナルカバー６０内に取り付けられ所定温度以上になると前記圧縮機本体５０への通電を遮断する温度保護装置７０と、を備えた圧縮機において、前記ターミナルカバー６０を前記圧縮機本体５０に押し付けるワイヤー８０を有し、前記ワイヤー８０は、前記圧縮機本体５０のワイヤー支持部８１に固定され、前記ターミナルカバー６０のフック部６１に引っ掛けられる。【選択図】図３
2017214851.tif 000002
【特許請求の範囲】
【請求項１】
シリンダ内でピストンを往復動させることで冷媒を圧縮する圧縮機本体と、前記圧縮機本体と電気的に接続するターミナルと、前記ターミナルを覆うターミナルカバーと、前記ターミナルカバー内に取り付けられ所定温度以上になると前記圧縮機本体への通電を遮断する温度保護装置と、を備えた圧縮機において、前記ターミナルカバーを前記圧縮機本体に押し付けるワイヤーを有し、前記ワイヤーは、前記圧縮機本体のワイヤー支持部に固定され、前記ターミナルカバーのフック部に引っ掛けられることを特徴とする圧縮機。
【請求項２】
前記ワイヤー支持部は、水平方向を回転軸として前記ワイヤーを回転可能に固定するものであることを特徴とする請求項１に記載の圧縮機。
【請求項３】
前記温度保護装置は温度センサを備え、前記温度センサが前記圧縮機本体と接触していることを特徴とする請求項１に記載の圧縮機。
【請求項４】
前記圧縮機本体は、高さ寸法を横寸法より小さくした扁平形状の圧縮機であることを特徴とする請求項１に記載の圧縮機。
【請求項５】
前記ワイヤー支持部が、前記ターミナルカバーと係合することで、前記ターミナルカバーの荷重を支えることを特徴とする請求項１に記載の圧縮機。
【発明の詳細な説明】
【技術分野】
【０００１】
本発明は、冷蔵庫等に用いる圧縮機に関する。
【背景技術】
【０００２】
冷蔵庫等に用いる圧縮機は、圧縮機本体内部のモータ配線と制御基板を接続するためのターミナル部を設けている。また、ターミナル部は水や粉塵の浸入を防ぐためのターミナルカバーで覆われている。ターミナルカバーの従来の固定方法としては、バンドによる固定方法の他、特許文献１に記載のネジによる固定方法などがある。また、圧縮機が異常に高温化して故障するのを防ぐのを目的に、ターミナルカバー内に温度保護装置を設ける場合がある。
【先行技術文献】
【特許文献】
【０００３】
【特許文献１】特開２０１４−１９６６７３号公報
【発明の概要】
【発明が解決しようとする課題】
【０００４】
従来のターミナルカバーの固定方法では、バンドやネジ等の部品が、圧縮機本体やターミナルカバーと別れているため、圧縮機を冷蔵庫等に取り付ける際、部品を落下する可能性があり、作業性が悪化する可能性がある。また、ターミナルカバーを確実に固定しないまま圧縮機が運転されると、ターミナル部が露出したり、圧縮機の高温化を精度よく検知できなくなったり、する可能性もある。
【０００５】
本発明の目的は、圧縮機を冷蔵庫等に取り付ける際の作業性の悪化を抑制しつつ、安全性を高めた圧縮機を提供することにある。
【課題を解決するための手段】
【０００６】
本発明は、シリンダ内でピストンを往復動させることで冷媒を圧縮する圧縮機本体と、前記圧縮機本体と電気的に接続するターミナルと、前記ターミナルを覆うターミナルカバーと、前記ターミナルカバー内に取り付けられ所定温度以上になると前記圧縮機本体への通電を遮断する温度保護装置と、を備えた圧縮機において、前記ターミナルカバーを前記圧縮機本体に押し付けるワイヤーを有し、前記ワイヤーは、前記圧縮機本体のワイヤー支持部に固定され、前記ターミナルカバーのフック部に引っ掛けられる。
【発明の効果】
【０００７】
本発明によれば、圧縮機を冷蔵庫等に取り付ける際の作業性の悪化を抑制しつつ、安全性を高めた圧縮機を提供できる。
【図面の簡単な説明】
【０００８】
【図１】実施例１の冷蔵庫本体を示す断面図である。
【図２】実施例１の圧縮機の内部構造を示す概略図である。
【図３】実施例１のターミナルカバー取付け構造を示す図である。
【図４】実施例１のターミナルカバー取付け状態を示す図である。
【図５】実施例１の他のターミナルカバー取付け状態を示す図である。
【図６】実施例２のターミナルカバー取付け構造を示す図である。
【図７】実施例２のターミナルカバーの内部構造を示す図である。
【発明を実施するための形態】
【０００９】
以下、本発明の実施例を添付の図面を参照しつつ説明する。同様の構成要素には同様の符号を付し、また、同一の説明は繰り返さない。
【００１０】
≪実施例１≫
図１は圧縮機が搭載された冷蔵庫１の断面図である。冷蔵庫１は、冷蔵室４、冷凍室５、野菜室６の開口を開閉可能な扉を前側に有しており、後側下方に圧縮機本体５０を備える機械室１８を有している。なお、機械室１８は、冷蔵庫１の後側上方に設けても良い。
【００１１】
図２は、機械室１８に配した圧縮機本体５０の内部構造の概略図である。圧縮機本体５０は、シリンダ２２内を往復動するピストン２１を、永久磁石同期モータ２３で駆動させる。永久磁石同期モータ２３は、コイルを巻回した固定子２４と、複数の永久磁石で構成される可動子２５とを有している。固定子２４のコイルに通電することによって、可動子２５を回転させる。
【００１２】
クランクシャフト２７の一端には可動子２５が、クランクシャフト２７の他端にはピストン２１が接続されており、可動子２５の回転運動をピストン２１の往復運動に変換することで、シリンダ２２内の冷媒の圧縮を行うことができる。また、固定子２４のコイルの巻線は、永久磁石同期モータ２３を駆動するための制御装置に接続されるため、圧縮機本体５０の側面部に設けたターミナル２８に接続される。
【００１３】
図３はターミナルカバー６０の圧縮機本体５０への取り付け方法を示す概略図である。圧縮機本体５０は、ターミナルカバー６０を圧縮機本体５０に押し付けて固定するワイヤー８０と、ワイヤー８０を圧縮機本体５０に固定するワイヤー支持部８１を備えている。なお、ワイヤー支持部８１は、例えば、ワイヤー８０を通すための穴の開いた鉄板を、圧縮機本体５０の外郭を形成するカバー又はこのカバーに別途設けたブラケットに対し、溶接することで構成される。ターミナルカバー６０は、圧縮機本体５０の外側のカバーやブラケットに対して当接させることで取り付ける。
【００１４】
さらにターミナルカバー６０はフック部６１を備え、図４に示すように、ワイヤー８０をフック部６１に引っ掛けることで、ターミナルカバー６０を圧縮機本体５０に押し付けて取り付ける。なお、ターミナルカバー６０の内部には、図３に示すように、温度保護装置７０、圧縮機用制御装置、これらをターミナル２８と接続するためのコネクタ７１など、が収納される。ここで、温度保護装置７０は、所定温度以上になると内部の接点が開放状態となって、交流電源の圧縮機本体５０への通電を遮断するものであり、サーミスタなどの温度センサを有している。本実施例のようにワイヤー８０でターミナルカバー６０を圧縮機本体５０へ押し付けることで、温度センサと圧縮機本体５０とを確実に接触させることができ、温度センサの検知精度が高まる。
【００１５】
ここで、図５に示すように、鉛直方向を回転軸としてワイヤー８０を回転可能に圧縮機本体５０に固定した場合、ワイヤー８０の長さＬが圧縮機本体５０の高さＨよりも大きくなる可能性がある。特に、高さ寸法が横寸法より小さい扁平形状の圧縮機を用いた場合、機械室１８の高さが小さいとワイヤー８０を取り付けるのが困難となる。
【００１６】
そこで、本実施例のワイヤー支持部は、水平方向を回転軸としてワイヤー８０を回転可能に圧縮機本体５０に固定する構造とした。つまり、ワイヤー８０は、ｘ軸を中心にｙ軸方向へ可動する構造とした。
【００１７】
また、本実施例によれば、ワイヤー支持部８１によりワイヤー８０が固定されており、ワイヤー８０が圧縮機本体５０から分離できないため、ターミナルカバー６０を取り付ける際にワイヤー８０が落下する恐れがなく、取り付け作業性を向上できる。
【００１８】
なお、従来の圧縮機本体は全高が１９０ｍｍ前後であるのに対して、本実施例の圧縮機本体５０は全高が１３０ｍｍ以下である。このため、冷蔵庫の機械室を小さくして、内容積を拡大することが可能である。ここで、圧縮機本体５０の高さ寸法と横寸法の比率である扁平率（高さ寸法／横寸法）は、望ましくは約７０％以下である。
【００１９】
≪実施例２≫
図６、図７は、実施例２の構造を示すものであり、以下、実施例１と異なる点について説明する。
【００２０】
ターミナルカバー６０の内部に、コネクタ７１や温度保護装置７０に加えて圧縮機本体５０の制御装置などを収納する場合、それらを含めたターミナルカバー６２の重量が増加する。この場合、ターミナル２８やワイヤー８０へ加わる荷重が増加し、ターミナルカバー６０の脱落やターミナル２８の折損などが生じる恐れがある。
【００２１】
本実施例では、図６に示すようにターミナルカバー６２に、図７に示すような収納部６３、収納部６４、収納部６５を設ける。収納部６３には、圧縮機本体５０を制御するための制御装置７２、ターミナル２８と制御装置７２を接続するためのコネクタ７１、温度保護装置７０、を収納する。
【００２２】
圧縮機本体５０は、ターミナルカバー６２を圧縮機本体５０に取り付けるワイヤー８０を支持するためのワイヤー支持部８２および８３を、ターミナル２８の両脇に備える。ワイヤー支持部８２はターミナルカバー６２の収納部６５に挿入して係合し、ワイヤー支持部８３はターミナルカバー６２の収納部６４に挿入して係合した後、ワイヤー８０をターミナルカバー６２のフック部６１に引っ掛けることで、ターミナルカバー６０を圧縮機本体５０に押し付けて取り付ける。本実施例によれば、収納部６４および６５に挿入したワイヤー支持部８２および８３によりターミナルカバー６２による荷重を支えることができ、制御装置７２などをターミナルカバー６２に収納した際の信頼性を保つことが可能となる。また、ワイヤー８０によりターミナルカバー６０を圧縮機本体５０に押し付けることで、温度センサと圧縮機本体５０との密着性を向上させ、温度センサによる検知精度を高めることができる。
【符号の説明】
【００２３】
１・・・冷蔵庫本体
４・・・冷蔵室
５・・・冷凍室
６・・・野菜室
１８・・・機械室
２１・・・ピストン
２２・・・シリンダ
２３・・・永久磁石同期モータ
２４・・・固定子
２５・・・可動子
２７・・・クランクシャフト
２８・・・ターミナル
５０・・・圧縮機本体
６０、６２・・・ターミナルカバー
６１・・・フック部
６３・・・収納部Ａ
６４・・・収納部Ｂ
６５・・・収納部Ｃ
７０・・・温度保護装置
７１・・・コネクタ
７２・・・圧縮機制御装置
８０・・・ワイヤー
８１、８２、８３・・・ワイヤー支持部
【図１】
2017214851.tif 000003
【図２】
2017214851.tif 000004
【図３】
2017214851.tif 000005
【図４】
2017214851.tif 000006
【図５】
2017214851.tif 000007
【図６】
2017214851.tif 000008
【図７】
2017214851.tif 000009